(57)【要約】【課題】  煩雑な印刷設定値の設定操作を自動で行えるようにした画像形成装置および画像形成方法および画像形成プログラムを提供する。【解決手段】  設定状態検出部１０１が、印刷する原稿の状態（例えば、パンチ穴情報、ステープル情報、Ｚ折り情報）を検出し、該検出した原稿の状態に基づいた印刷設定値を記憶部２８に格納する。画像形成部１０４は、記憶部２８に記憶された印刷設定値を用いて、画像出力部３２と連携し原稿の印刷処理を行う。【選択図】  図２
2006084685.tif 000002
【特許請求の範囲】
【請求項１】
原稿の状態から該原稿を印刷処理する際の印刷設定値を検出する検出手段と、
前記検出手段で検出した前記印刷設定値を記憶する記憶手段と、
前記記憶手段で記憶された印刷設定値を用いて前記原稿の印刷処理を行う印刷処理手段と
を具備することを特徴とする画像形成装置。
【請求項２】
前記検出手段は、
前記原稿の状態からパンチ穴情報、ステープル情報、Ｚ折り情報等の少なくとも１つを前記印刷設定値として検出する
ことを特徴とする請求項１記載の画像形成装置。
【請求項３】
前記記憶手段で記憶された印刷設定値を表示器に表示する表示制御手段と、
前記表示制御手段で表示した前記印刷設定値を変更する変更手段と
を更に具備することを特徴とする請求項１または２記載の画像形成装置。
【請求項４】
原稿の状態から該原稿を印刷処理する際の印刷設定値を検出手段で検出し、
前記検出手段で検出した前記印刷設定値を記憶手段で記憶し、
前記記憶手段で記憶された印刷設定値を表示器に表示制御手段で表示し、
前記表示制御手段で表示した前記印刷設定値を所望の値に変更する場合は、変更手段で変更し、
前記記憶手段で記憶された印刷設定値を用いて前記原稿の印刷処理を印刷処理手段で行う
ことを特徴とする画像形成方法。
【請求項５】
印刷処理をコンピュータに実行させる画像形成プログラムであって、
原稿の状態から該原稿を印刷処理する際の印刷設定値を検出する検出ステップと、
前記検出ステップで検出した前記印刷設定値を記憶装置に記憶する記憶ステップと、
前記記憶ステップで前記記憶装置に記憶された印刷設定値を表示器に表示する表示制御ステップと、
前記表示制御ステップで表示した前記印刷設定値を変更する変更ステップと、
前記記憶ステップで前記記憶装置に記憶された印刷設定値を用いて前記原稿の印刷処理を行う印刷処理ステップと
を含むことを特徴とする画像形成プログラム。
【発明の詳細な説明】
【技術分野】
【０００１】
本発明は、画像形成装置および画像形成方法および画像形成プログラムに係わり、詳しくは、印刷する原稿の状態（例えば、パンチ、ステープル、Ｚ折り）から該原稿を印刷処理する際の印刷設定値を検出し、該検出した印刷設定値を用いて印刷処理を行うようにした画像形成装置および画像形成方法および画像形成プログラムに関する。
【背景技術】
【０００２】
従来、コピー機、複合機などの画像形成装置において、コピー処理等を行う場合に、誤った設定状態のままジョブをスタートしてしまい、ミスコピーが生じるということが多々発生していた。
【０００３】
例えば、この設定ミスには、コピーを所望する原稿が両面であるにもかかわらず、読み取り面設定が片面になっているままジョブをスタートしてしまうといったものがある。特に、パンチやステープルの位置設定は、健常者でもどの位置にパンチ／ステープルされるか設定が分かりにくく、所望する場所に設定することが難しい。
【０００４】
このような設定ミスに対処する方法として、オペレータパネルから入力設定を行わずに、読取装置で読み取った情報に基づいてコピー処理などの画像形成処理を行う方法が挙げられる。
【０００５】
例えば、特許文献１記載の「ファクシミリ装置」は、読み取り原稿に、予め動作に関する情報等をバーコードなどで印字しておく、読み取り処理が実行されると、該情報に基づいてファクシミリ送信を行うといったものである。
【０００６】
また、特許文献２記載の「原稿画像の天地を認識できる画像処理装置」は、読み取り原稿内の文字を認識し、該認識によって原稿の天地を自動判別するといったものである。
【特許文献１】特開平０４−１７２７５７号
【特許文献２】特開平０９−１３０５１６号
【発明の開示】
【発明が解決しようとする課題】
【０００７】
しかしながら、上記特許文献１の発明は、読み取り原稿に、バーコード等の特殊情報を予め設定しておく必要があるため、作業が手間であり、また特殊情報が誤っている場合には、誤ったジョブが実行されることとなる。
【０００８】
また、上記特許文献２の発明は、両面設定、ステープル位置設定、パンチ位置設定などミスコピーにつながり易い設定は、ユーザ自身で行う必要があり、上記特許文献１の発明同様に誤ったジョブが実行される可能性がある。
【０００９】
そこで、本発明は上記問題点に鑑みてなされたものであり、煩雑な印刷設定値の設定操作を自動で行えるようにした画像形成装置および画像形成方法および画像形成プログラムを提供することを目的とする。
【課題を解決するための手段】
【００１０】
上記目的を達成するため、請求項１の発明は、原稿の状態から該原稿を印刷処理する際の印刷設定値を検出する検出手段と、前記検出手段で検出した前記印刷設定値を記憶する記憶手段と、前記記憶手段で記憶された印刷設定値を用いて前記原稿の印刷処理を行う印刷処理手段とを具備することを特徴とする。
【００１１】
また、請求項２の発明は、請求項１の発明において、前記検出手段は、前記原稿の状態からパンチ穴情報、ステープル情報、Ｚ折り情報等の少なくとも１つを前記印刷設定値として検出することを特徴とする。
【００１２】
また、請求項３の発明は、請求項１または２の発明において、前記記憶手段で記憶された印刷設定値を表示器に表示する表示制御手段と、前記表示制御手段で表示した前記印刷設定値を変更する変更手段とを更に具備することを特徴とする。
【００１３】
また、請求項４の発明は、原稿の状態から該原稿を印刷処理する際の印刷設定値を検出手段で検出し、前記検出手段で検出した前記印刷設定値を記憶手段で記憶し、前記記憶手段で記憶された印刷設定値を表示器に表示制御手段で表示し、前記表示制御手段で表示した前記印刷設定値を所望の値に変更する場合は、変更手段で変更し、前記記憶手段で記憶された印刷設定値を用いて前記原稿の印刷処理を印刷処理手段で行うことを特徴とする。
【００１４】
また、請求項５の発明は、印刷処理をコンピュータに実行させる画像形成プログラムであって、原稿の状態から該原稿を印刷処理する際の印刷設定値を検出する検出ステップと、前記検出ステップで検出した前記印刷設定値を記憶装置に記憶する記憶ステップと、前記記憶ステップで前記記憶装置に記憶された印刷設定値を表示器に表示する表示制御ステップと、前記表示制御ステップで表示した前記印刷設定値を変更する変更ステップと、前記記憶ステップで前記記憶装置に記憶された印刷設定値を用いて前記原稿の印刷処理を行う印刷処理ステップとを含むことを特徴とする。
【発明の効果】
【００１５】
本発明によれば、印刷する原稿の状態（例えば、パンチ、ステープル、Ｚ折り）から該原稿を印刷処理する際の印刷設定値を検出し、該検出した印刷設定値を記憶して、該記憶した印刷設定値を用いて印刷処理を行うように構成したため、煩雑な印刷設定値の設定操作を行う必要がなくなるので、設定ミスを抑止することができる。
【発明を実施するための最良の形態】
【００１６】
以下、この発明に係わる画像形成装置および画像形成方法および画像形成プログラムの実施例について添付図面を参照して詳細に説明する。
【実施例１】
【００１７】
図１は、本発明に係わる画像形成装置を適用した複合機１のシステム構成を示す図である。なお、本発明の機能が実行されるのであれば、単体の機器であっても、複数の機器からなるシステムであっても、ＬＡＮ（Local Area Network），ＷＡＮ（Wide Area Network）等のネットワークを介して接続が為され処理が行われるシステムであっても本発明を適用できる。
【００１８】
図１において、複合機１は大きく分けて、オペレーションパネル等のユーザインターフェースである表示操作部１０と、複合機１の統括制御を行うコントローラ部２０と、該コントローラ部２０の指示に基づいて画像入出力処理を行うエンジン部３０とを具備して構成される。
【００１９】
表示操作部１０は、先に述べた通り、装置本体に備わるオペレーションパネルであり、具体的には、タッチパネルや操作ボタンなどの入力用デバイスと、ＬＥＤ（Light Emitting Diode）、ＬＣＤ（Liquid Crystal Display）などの表示用デバイスを具えたユーザインターフェースである。
【００２０】
コントローラ部２０は、上述した表示操作部１０とデータ授受を行うパネルＩ／Ｆ（Interface）２１と、後述するシステムメモリ２３等に展開されたプログラムに従って、各部の動作制御および管理を行うメインＣＰＵ（Central Processing Unit）２２と、プログラムの実行等を行う際の作業領域であるシステムメモリ２３と、電話回線やネットワークなどを介して他装置との通信を行うためのインターフェース装置である通信部２４と、画像イメージを一時保存するための画像メモリ２５と、後述する画像入力部３１と入力画像イメージ等のデータ授受を行う入力部Ｉ／Ｆ（Interface）２６と、後述する画像出力部３２と出力画像イメージ等のデータ授受を行う出力部Ｉ／Ｆ（Interface）２７と、印刷設定値に関するデータを記憶する記憶部２８とを具備して構成される。
【００２１】
エンジン部３０は、用紙などに形成された画像データを読み込むスキャナ装置等の画像入力部３１と、用紙などに画像データを形成するプリンタ装置等の画像出力部３２とを具備して構成される。この構成において、本発明に係わる画像形成処理は主としてメインＣＰＵ２２において行われる。
【００２２】
以上が本発明に係わる複合機１のシステム構成図の説明である。なお、同図には図示しないが、この他、複合機１には、複合機１の各構成要素に対して電力供給を制御する電源制御部などが適宜設けられている。
【００２３】
図２は、図１に示したメインＣＰＵ２２の機能的な構成の一部を示す機能ブロック図である。なお、ここでは、本発明に係わる構成要素のみを挙げて説明する。
【００２４】
図２において、メインＣＰＵ２２は、各種処理機能部として、設定状態検出部１０１と、表示制御部１０２と、設定値変更部１０３と、画像形成部１０４とを具備して構成される。
【００２５】
設定状態検出部１０１は、上記図１で説明した画像入力部３１で読み取り処理を行った結果、得られた入力画像データを解析して、読み取り原稿の設定状態を検出する。ここで検出する設定状態とは、例えば、パンチ、ステープル、Ｚ折りなどの後処理に関するものや、両面／片面、Ｎｕｐ、カラー／白黒などの機能設定に関するものなどである。設定状態検出部１０１は、設定状態を検出後、検出した結果に基づき印刷設定値を記憶部２８に格納する。
【００２６】
表示制御部１０２は、上述した記憶部２８に記憶された印刷設定値をユーザに通知する処理部である。具体的には、上記図１で説明した表示操作部１０の表示用デバイスに機能設定確認画面を表示してユーザに印刷設定値を確認させる。なお、複合機１にスピーカーが備わっている場合には、音声メッセージなどにより印刷設定値を音声で通知するようにしてもよい。
【００２７】
設定値変更部１０３は、上述した機能設定確認画面でユーザに通知した印刷設定値を変更する処理部である。すなわち、画面を参照して印刷設定値を確認したユーザが、設定値変更を所望した場合、表示操作部１０から変更操作が行われる。設定値変更部１０３は、入力されたユーザ指示に基づいて、記憶部２８に記憶された印刷設定値を変更する。
【００２８】
画像形成部１０４は、上述した記憶部２８に記憶された印刷設定値を用いて、上記図１で説明した画像出力部３２と連携して、用紙などに画像データを形成するといった画像出力処理を行う処理部である。以上がメインＣＰＵ２２の機能的な構成の一部を示す各機能ブロックの説明である。
【００２９】
図３は、設定状態検出部１０１で設定状態の検出を行う読み取り原稿２００の一例を示す図である。
【００３０】
同図には、読み取り原稿２００の一例が示されており、該原稿には、パンチ、ホチキス（ステープル）、Ｚ折りなどの後処理がなされている。
【００３１】
このような読み取り原稿２００から該原稿になされた後処理を検出する場合、パンチ穴跡や、ホチキス跡、Ｚ折り跡などの影を検出する。
【００３２】
このような方法で検出した結果に基づいて、設定状態検出部１０１は、パンチ、ホチキス、Ｚ折りなどの後処理に関する印刷設定値を記憶部２８へ格納することとなる。
【００３３】
次に、表示操作部１０に表示される画面について、図４を参照しながら説明する。
【００３４】
同図には、機能設定確認画面の画面レイアウトの一例が示されており、該画面には、ステープル、パンチ、Ｚ折り、両面／片面選択などの設定項目に対応して印刷設定値が表示されている。
【００３５】
また、機能設定確認画面は、画面表示を終了する場合に押下する閉じるボタン３０１と、一覧表示された印刷設定値を変更する場合に押下する確認／変更ボタン３０２とが配設されている。
【００３６】
図５は、図１に示した複合機１における画像形成処理の動作を説明するフローチャートである。
【００３７】
まず、ユーザが複合機１の給紙トレイなどに読み取り原稿をセット後（ステップＳ１０１）、スタートボタンを押下すると（ステップＳ１０２）、この画像形成処理は開始される。すなわち、表示操作部１０に配設されるスタートボタン押下とともに、画像入力部３１において画像読み取り処理が開始される。
【００３８】
この処理が開始されると、画像入力部３１で読み取り処理を行うとともに、設定状態検出部１０１で読み取った入力画像データを解析して、読み取り原稿の設定状態を検出する。すなわち、上記図３で説明したように、読み取り原稿からパンチ穴跡、ホチキス跡、Ｚ折り跡などの影を検出する。
【００３９】
この設定状態検出処理が開始されると、読み取り原稿にパンチ穴があるか否か、パンチ穴があるならばどの位置にあるかなどの検出が行われ（ステップＳ１０３）、続いて、ホチキス跡があるか否か、ホチキス跡があるならばどの位置にあるかなどの検出が行われる（ステップＳ１０４）。以下同様にＺ折り跡の検出が行われる（ステップＳ１０５）。なお、検出項目はこれに限られず、例えば、両面／片面、Ｎｕｐ、カラー／白黒設定なども検出する。
【００４０】
この設定状態検出処理は、全ての検出が終了するまで行われる（ステップＳ１０６でＮＯ）。一方、設定状態検出処理が完了した場合は（ステップＳ１０６でＹＥＳ）、設定状態検出部１０１は、検出した設定状態に基づいた印刷設定値を記憶部２８に格納する（ステップＳ１０８）。
【００４１】
ここで、上記ステップＳ１０７で記憶部２８に格納された印刷設定値をユーザに通知するか否かの判断を行う（ステップＳ１０８）。これは、予め複合機１に通知を行うか否かの情報を設定しておき、その情報に基づいて通知有無が判断されることとなる。
【００４２】
判断処理の結果、通知を行わないと判断された場合は（ステップＳ１０８でＮＯ）、複合機１は、読み取り原稿から読み取った印刷設定値のまま、該読み取り原稿の印刷処理を実行し（ステップＳ１１３）、この画像形成処理を終了するが一方、通知を行うと判断された場合は（ステップＳ１０８でＹＥＳ）、上記図４で説明した機能設定確認画面を表示し印刷設定値を通知する（ステップＳ１０９）。
【００４３】
ユーザは機能設定確認画面を参照して、読み取り原稿から読み取った印刷設定値のまま、該読み取り原稿の印刷処理を行うか、若しくは印刷設定値を変更するかの選択を行う（ステップＳ１１０）。ユーザ選択の結果、そのまま印刷処理を行う場合は（ステップＳ１１０でＮＯ）、ユーザによってスタートボタンが押下されるとともに（ステップＳ１１２）、複合機１は、読み取り原稿から読み取った印刷設定値を用いて該読み取り原稿の印刷処理を実行し（ステップＳ１１３）、この画像形成処理を終了する。
【００４４】
また、機能設定確認画面を参照した結果、印刷設定値の変更を所望する場合（ステップＳ１１０でＹＥＳ）、ユーザは表示された機能設定確認画面から印刷設定値を所望の値に変更する（ステップＳ１１１）。すなわち、設定値変更部１０３が、ユーザ指示に基づいて、記憶部２８に記憶された印刷設定値を変更する。
【００４５】
ユーザ所望の印刷設定値に変更がなされると、ユーザによってスタートボタンが押下されるとともに（ステップＳ１１２）、複合機１は、読み取り原稿から読み取った印刷設定値を用いて該読み取り原稿の印刷処理を実行し（ステップＳ１１３）、この画像形成処理を終了する。
【００４６】
以上説明したように本発明においては、読み取り原稿の状態（例えば、パンチ、ステープル、Ｚ折り）を検出し、該検出した印刷設定値を用いて印刷処理を行うように構成したため、煩雑な印刷設定値の設定操作を行う必要がなくなるので、設定ミスを抑止することができる。
【実施例２】
【００４７】
上記実施例１においては、印刷する原稿と同一の設定状態で該原稿を印刷（コピー）処理する場合の実施形態を説明したが、実施例２では、見本原稿の設定状態を用いて、原稿の印刷処理を行う場合の実施形態について説明する。上記見本原稿は、例えば、専用の見本原稿を用意してもよいし、過去によくできた原稿や、ユーザがパンチ穴など後処理跡を手書きで書いたものでもよく、設定状態を検出できるものであれば足りる。
【００４８】
なお、実施例２の構成は、上記実施例１と同一であるため、その構成についての説明は省略し、ここでは、動作についてのみ説明する。
【００４９】
図６は、図１に示した複合機１における画像形成処理の動作を説明するフローチャートである。なお、ここでは、見本原稿から読み取った設定状態を用いて見本原稿とは異なった原稿のコピー処理を行う場合の動作を説明する。
【００５０】
まず、ユーザが複合機１の給紙トレイなどに見本原稿をセット後（ステップＳ２０１）、スタートボタンを押下すると（ステップＳ２０２）、この画像形成処理は開始される。すなわち、表示操作部１０に配設されるスタートボタン押下とともに、画像入力部３１において画像読み取り処理が開始される。
【００５１】
この処理が開始されると、画像入力部３１で読み取り処理を行うとともに、設定状態検出部１０１で読み取った入力画像データを解析して、見本原稿の設定状態を検出する。すなわち、上記図３で説明したように、見本原稿からパンチ穴跡、ホチキス跡、Ｚ折り跡などの影を検出する。
【００５２】
この設定状態検出処理が開始されると、見本原稿にパンチ穴があるか否か、パンチ穴があるならばどの位置にあるかなどの検出が行われ（ステップＳ２０３）、続いて、ホチキス跡があるか否か、ホチキス跡があるならばどの位置にあるかなどの検出が行われる（ステップＳ２０４）。以下同様にＺ折り跡の検出が行われる（ステップＳ２０５）。なお、検出項目はこれに限られず、例えば、両面／片面、Ｎｕｐ、カラー／白黒設定なども検出する。
【００５３】
この設定状態検出処理は、全ての検出が終了するまで行われる（ステップＳ２０６でＮＯ）。一方、設定状態検出処理が完了した場合は（ステップＳ２０６でＹＥＳ）、設定状態検出部１０１は、検出した設定状態に基づいた印刷設定値を記憶部２８に格納する（ステップＳ２０８）。
【００５４】
ここで、上記ステップＳ２０７で記憶部２８に格納された印刷設定値をユーザに通知するか否かの判断を行う（ステップＳ２０８）。これは、予め複合機１に通知を行うか否かの情報を設定しておき、その情報に基づいて通知有無が判断されることとなる。
【００５５】
判断処理の結果、通知を行わないと判断された場合は（ステップＳ２０８でＮＯ）、ユーザによってコピー元原稿がセットされるまで待機するが一方、通知を行うと判断された場合は（ステップＳ２０８でＹＥＳ）、上記図４で説明した機能設定確認画面を表示し印刷設定値を通知する（ステップＳ２０９）。
【００５６】
ユーザは機能設定確認画面を参照して、見本原稿から読み取った印刷設定値のまま、コピー元原稿の印刷処理を行うか、若しくは印刷設定値を変更するかの選択を行う（ステップＳ２１０）。ユーザ選択の結果、そのまま印刷処理を行う場合は（ステップＳ２１０でＮＯ）、コピー元原稿セット後（ステップＳ２１２）、ユーザによってスタートボタンが押下されとともに（ステップＳ２１３）、複合機１は、見本原稿から読み取った印刷設定値を用いてコピー元原稿の印刷処理を実行し（ステップＳ２１４）、この画像形成処理を終了する。
【００５７】
また、機能設定確認画面を参照した結果、印刷設定値の変更を所望する場合（ステップＳ２１０でＹＥＳ）、ユーザは表示された機能設定確認画面から印刷設定値を所望の値に変更する（ステップＳ２１１）。すなわち、設定値変更部１０３が、ユーザ指示に基づいて、記憶部２８に記憶された印刷設定値を変更する。
【００５８】
ユーザ所望の印刷設定値に変更がなされると、コピー元原稿セット後（ステップＳ２１２）、ユーザによってスタートボタンが押下されるとともに（ステップＳ２１３）、複合機１は、見本原稿から読み取った印刷設定値を用いてコピー元原稿の印刷処理を実行し（ステップＳ２１４）、この画像形成処理を終了する。
【００５９】
上述したように実施例２においては、見本原稿の状態（例えば、パンチ、ステープル、Ｚ折り）を検出し、該検出した印刷設定値を用いて印刷処理を行うように構成したため、さらに利便性が増すこととなる。
【００６０】
なお、上記実施例においては、読み取り（見本）原稿から検出した印刷設定値を基本的に全て適用して印刷処理を行う場合を説明したが、これに限られず、例えば、各機能設定画面に自動ボタンを設けることで、読み取り（見本）原稿から検出した印刷設定値を機能毎に個別で設定できるように構成してもよい。その場合、図７に示すようなホチキス機能設定画面で自動ボタン３０５を押下すると、読み取り原稿から検出した印刷設定値のうちホチキスに関する印刷設定値を個別自動に設定できることとなる。
【００６１】
また、上記実施例においては、本発明に係わる画像形成装置を複合機１に適用する場合を説明したが、この画像形成方法を複合機１にインストールされた画像形成プログラムにより実行させるように構成してもよい。
【００６２】
また、本発明に係わる画像形成装置は、複合機に限らず、プリンタ、ファックス、コピー機などの画像形成装置全般に適用可能である。
【００６３】
この他、本発明は、上記および図面に示す実施例に限定することなく、その要旨を変更しない範囲内で適宜変形して実施できるものである。例えば、上記実施例においては、主として印刷（コピー）処理を行う場合の実施形態を説明したが、これに限られず、コピー以外の印刷処理にも本発明を適用することができる。
【産業上の利用可能性】
【００６４】
本発明の画像形成装置および画像形成方法および画像形成プログラムは、プリンタ、ファックス、コピー機、複合機などの画像形成装置全般に適用可能であり、特に、パンチ穴、ステープル、Ｚ折りなどの設定が煩雑な印刷設定値の設定操作を自動で行うため、設定ミスを抑止することができる。
【図面の簡単な説明】
【００６５】
【図１】本発明に係わる画像形成装置を適用した複合機１のシステム構成を示す図である。
【図２】図１に示したメインＣＰＵ２２の機能的な構成の一部を示す機能ブロック図である。
【図３】見本原稿２００の一例を示す図である。
【図４】図１に示した表示操作部１０に表示される画面の一例である。
【図５】図１に示した複合機１における画像形成処理の動作を説明するフローチャートである。
【図６】実施例２に係わる複合機１における画像形成処理の動作を説明するフローチャートである。
【図７】図１に示した表示操作部１０に表示される画面の一例である（その他変形例）。
【符号の説明】
【００６６】
１    複合機
１０    表示操作部
２０    コントローラ部
２１    パネルＩ／Ｆ（Interface）
２２    メインＣＰＵ（Central Processing Unit）
２３    システムメモリ
２４    通信部
２５    画像メモリ
２６    入力部Ｉ／Ｆ（Interface）
２７    出力部Ｉ／Ｆ（Interface）
２８    記憶部
３０    エンジン部
３１    画像入力部
３２    画像出力部
１０１    設定状態検出部
１０２    表示制御部
１０３    設定値変更部
１０４    画像形成部
【図１】
2006084685.tif 000003
【図２】
2006084685.tif 000004
【図３】
2006084685.tif 000005
【図４】
2006084685.tif 000006
【図５】
2006084685.tif 000007
【図６】
2006084685.tif 000008
【図７】
2006084685.tif 000009